(57)【特許請求の範囲】
【請求項１】
肌当接面を形成する液透過性シートと、該液透過性シートの非肌当接面側に配置される吸収体と、該吸収体の非肌当接面側に配置される液不透過性シートとを備え、着用時に着用者の腹側に位置する腹側部と、背側に位置する背側部と、該腹側部及び該背側部間に位置する股下部とに区分され、上記腹側部の側縁部と上記背側部の側縁部とが左右それぞれにおいて接合されてウエスト開口部及び一対のレッグ開口部が形成されてパンツ型に形成されており、
上記背側部から上記股下部を縦断し上記腹側部にわたって装着者側へ向けて起立する１対のレッグ立体ギャザーと、上記背側部及び上記腹側部それぞれにおいて１対の該レッグ立体ギャザーを該レッグ立体ギャザーの装着者側において横切って装着者側へ向けて起立する１対のウエスト立体ギャザーとを備え、該ウエスト立体ギャザーの自由端縁が上記股下部方を向いているパンツ型使い捨ておむつにおいて、
上記レッグ立体ギャザーは、その両端部が、該両端部それぞれの股下部寄りの端縁を上記ウエスト立体ギャザーの装着者側に配置された自由端縁よりも上記ウエスト開口部側に位置させて固着されており、
上記レッグ立体ギャザーの上記両端部は、上記股下部寄りの上記端縁を上記ウエスト立体ギャザーの上記肌当接面に固定されている固定端縁と重なるように位置させて、上記肌当接面に固着されている
ことを特徴とするパンツ型使い捨ておむつ。
【発明の詳細な説明】
【０００１】
【発明の属する技術分野】
本発明は、パンツ型使い捨ておむつに関し、更に詳しくは、レッグ立体ギャザー及びウエスト立体ギャザーの機能が十分に発揮され防漏性に優れたパンツ型使い捨ておむつに関する。
【０００２】
【従来の技術及び発明が解決しようとする課題】
従来より、使い捨ておむつとして、肌当接面を形成する液透過性シートと、該液透過性シートの非肌当接面側に配置される吸収体と、該吸収体の非肌当接面側に配置される液不透過性シートとを備え、着用時に着用者の腹側に位置する腹側部と、背側に位置する背側部と、該腹側部及び該背側部間に位置する股下部とに区分され、上記腹側部の側縁部と上記背側部の側縁部とが左右それぞれにおいて接合されてウエスト開口部及び一対のレッグ開口部が形成されてパンツ型に形成されている、いわゆる、パンツ型の使い捨ておむつはよく知られている。このパンツ型使い捨ておむつは、立位の状態においても装着及び離脱が容易であり、幼児のおむつ離れを促進するトイレットトレーニング用として、または失禁者等の大人用のおむつ等として有用とされている。
【０００３】
そしてこのパンツ型使い捨ておむつにおいては、上記背側部から上記股下部を縦断し上記腹側部にわたって装着者側へ向けて起立する１対のレッグ立体ギャザーと、上記背側部及び上記腹側部それぞれにおいて１対の該レッグ立体ギャザーを該レッグ立体ギャザーの装着者側において横切って装着者側へ向けて起立する１対のウエスト立体ギャザーとを備え、上記ウエスト立体ギャザーの自由端縁が股下部方を向くようになしてあり、あらゆる方向における漏れを回避できるようになされている。
【０００４】
しかし、上述のような従来のパンツ型使い捨ておむつにおいても、ウエスト立体ギャザー部とレッグ立体ギャザー部との当接部において隙間が生じ、ここから漏れの生じる場合がある問題点がある。
【０００５】
従って、本発明の目的は、レッグ立体ギャザー及びウエスト立体ギャザーの機能が十分に発揮され防漏性に優れたパンツ型使い捨ておむつを提供することにある。
【０００６】
【課題を解決するための手段】
本発明は、肌当接面を形成する液透過性シートと、該液透過性シートの非肌当接面側に配置される吸収体と、該吸収体の非肌当接面側に配置される液不透過性シートとを備え、着用時に着用者の腹側に位置する腹側部と、背側に位置する背側部と、該腹側部及び該背側部間に位置する股下部とに区分され、上記腹側部の側縁部と上記背側部の側縁部とが左右それぞれにおいて接合されてウエスト開口部及び一対のレッグ開口部が形成されてパンツ型に形成されており、上記背側部から上記股下部を縦断し上記腹側部にわたって装着者側へ向けて起立する１対のレッグ立体ギャザーと、上記背側部及び上記腹側部それぞれにおいて１対の該レッグ立体ギャザーを該レッグ立体ギャザーの装着者側において横切って装着者側へ向けて起立する１対のウエスト立体ギャザーとを備え、該ウエスト立体ギャザーの自由端縁が上記股下部方を向いているパンツ型使い捨ておむつにおいて、上記レッグ立体ギャザーは、その両端部が、該両端部それぞれの股下部寄りの端縁を上記ウエスト立体ギャザーの装着者側に配置された自由端縁よりも上記ウエスト開口部側に位置させて固着されており、上記レッグ立体ギャザーの上記両端部は、上記股下部寄りの上記端縁を上記ウエスト立体ギャザーの上記肌当接面に固定されている固定端縁と重なるように位置させて、上記肌当接面に固着されていることを特徴とするパンツ型使い捨ておむつを提供することにより、上記目的を達成したものである。
【０００７】
【発明の実施の形態】
以下、本発明のパンツ型使い捨ておむつの一実施形態を図面を参照しながら具体的に説明する。
図１は、本発明のパンツ型使い捨ておむつの一実施形態を展開した状態で示す斜視図であり、図２は図１のＩ−Ｉ断面図であり、図３は図１のＩＩ−ＩＩ断面図であり、図４は図１のパンツ型使い捨ておむつの要部を示す平面図である。
【０００８】
本実施形態のパンツ型使い捨ておむつ１は、図１又は図２に示すように、肌当接面を形成する液透過性シート２１と、該液透過性シート２１の非肌当接面側に配置される吸収体２２と、該吸収体２２の非肌当接面側に配置される液不透過性シート２３とを備え、着用時に着用者の腹側に位置する腹側部Ａと、背側に位置する背側部Ｂと、該腹側部Ａ及び該背側部Ｂ間に位置する股下部Ｃとに区分され、上記腹側部Ａの側縁部Ａ’と上記背側部Ｂの側縁部Ｂ’とが左右それぞれにおいて接合されてウエスト開口部及び一対のレッグ開口部が形成されてパンツ型に形成されている。
また、本実施形態のパンツ型使い捨ておむつ１は、上記腹側部Ａから上記股下部Ｃを縦断し上記背側部Ｂにわたって装着者側へ向けて起立する１対のレッグ立体ギャザー３１と、上記腹側部Ａ及び上記背側部Ｂそれぞれにおいて１対の該レッグ立体ギャザー３１を該レッグ立体ギャザー３１の装着者側において横切って装着者側へ向けて起立する１対のウエスト立体ギャザー４１とを備えており、上記ウエスト立体ギャザー４１の自由端縁４１ａが股下部Ｃ方を向いている。
【０００９】
更に詳述すると、本実施形態のパンツ型使い捨ておむつ１は、図１及び図２に示すように、パンツ本体１０と吸収部２０とを備えている。
上記パンツ本体１０は、本体表面シート１１及び該本体表面シート１１の非肌当接面側に積層された本体裏面シート１２を備えている。本体表面シート１１及び本体裏面シート１２は、いずれも、展開した状態において長手方向略中央部の括れた砂時計断面状の形状をしている。そしてこのパンツ本体１０は、着用時に着用者の腹側に位置する腹側部Ａと、背側に位置する背側部Ｂと、該腹側部Ａ及び該背側部Ｂ間に位置する股下部Ｃとに区分され、上記腹側部Ａの側縁部Ａ’と背側部Ｂの側縁部Ｂ’とが左右それぞれにおいて接合されて、上記ウエスト開口部及び一対の上記レッグ開口部の形成されたパンツ型に形成されている。
【００１０】
上記本体表面シート１１としては、不織布又は不織布フィルムを用いることができ、コスト及び風合いの点で、不織布が好ましい。
上記本体裏面シート１２としては、不織布又は不織布フィルムを用いることができ、コスト及び風合いの点で、不織布が好ましい。
【００１１】
上記吸収部２０は、縦長であって、吸収体２２の肌当接面側の面全面に液透過性シート２１が積層され、吸収体２２の非肌当接面側の面全面に液不透過性シート２３が積層されてなっている。この吸収部２０は、その長手方向がパンツ本体１０の長手方向と揃うように、パンツ本体１０の本体表面シート１１に肌当接面側から配設されており、吸収部２０の両端部は腹側部Ａ及び背側部Ｂに一方ずつ積なって配置されている。
上記液透過性シート２１としては、従来よりパンツ型使い捨ておむつの表面シートとして用いられている液透過性シートを特に制限なく用いることができ、上記液不透過性シート２３としては、従来よりパンツ型使い捨ておむつの裏面シートとして用いられている液不透過性シートを特に制限なく用いることができる。また、上記吸収体２２としては、従来のパンツ型使い捨ておむつにおいて吸収体として用いられているものを特に制限なく用いることができる。
【００１２】
そして、上記吸収部２０の長軸方向に沿う２つの側面はそれぞれレッグ立体ギャザー形成部材３０に被覆されている。このレッグ立体ギャザー形成部材３０は、一方の側縁３０ａが吸収部２０の液不透過性シート２３と本体表面シート１１との間に固定されており、他方の側縁３０ｂは吸収部２０の液透過性シート２１側に露出されている。この他方の側縁３０ｂには、レッグ立体ギャザー形成用の弾性部材３２が該他方の側縁３０ｂに沿って伸長された状態で配設固定されており、レッグ立体ギャザー形成用の弾性部材３２の収縮によって、吸収部２０の液透過性シート２１側に露出した部分が装着者側に起立して上記レッグ立体ギャザー３１が形成されている。このレッグ立体ギャザー３１の両端部３１ａは吸収部２０の液透過性シート２１に固着されている。
上記レッグ立体ギャザー形成部材３０及びレッグ立体ギャザー形成用の弾性部材３２としては、従来より使い捨ておむつのレッグ立体ギャザーを形成する部材として用いられているものを特に制限なく用いることができる。
【００１３】
また、パンツ本体１０の腹側部Ａ及び背側部Ｂには、それぞれウエスト立体ギャザー形成部材４０が積層されている。このウエスト立体ギャザー形成部材４０は、吸収部２０の配置されている部分においては該吸収部２０の更に装着者側に積層されており、肌当接面を形成している。このウエスト立体ギャザー形成部材４０は、股下部Ｃ側の縁部４０ａ以外の部分４０ｃは腹側部Ａ、背側部Ｂ及び吸収体Ｃのうちのいずれかに固着されている。また、そして、股下部Ｃ側の縁辺４０ｂには、ウエスト立体ギャザー形成用の弾性部材４２が該股下部Ｃ側の縁辺４０ｂに沿って伸長された状態で配設固定されており、ウエスト立体ギャザー形成用の弾性部材４２の伸縮によって、上記縁辺４０ｂが縁部４０ａ以外の部分４０ｃよりも股下部Ｃ寄りに配置された状態で上記股下部Ｃ側の縁部４０ａが装着者側に起立して、自由端縁４１ａが股下部Ｃ方を向いている上記ウエスト立体ギャザー４１が形成されている。
【００１４】
また、本実施形態のパンツ型使い捨ておむつ１においては、ウエスト用の弾性部材１３が、パンツ本体１０の腹側部Ａ及び背側部Ｂにおいて、本体表面シート１１と本体裏面シート１２の間に、腹側部Ａ及び背側部Ｂそれぞれにおけるウエスト開口部の開口部縁に平行に配設されており、腹側部Ａの側縁部Ａ’と背側部Ｂの側縁部Ｂ’とが接合された接合部において同一のウエスト用の弾性部材１３の端部どうしが重複してウエスト開口部の周縁部の略全周にわたって配置され、ウエスト開口部の周縁部の略全周にわたって配置されてウエストギャザー部１４が形成されている。
更に、一対のレッグ開口部の周縁部には、レッグ用の弾性部材１５ａ，１５ｂが該レッグ開口部の周縁部の略全周にわたって配置されてレッグギャザー部１６が形成されている。上記レッグ用の弾性部材１５ａ，１５ｂは、そのうちの一方（レッグ用の弾性部材１５ａ）は、パンツ本体１０の腹側部Ａの一方の側縁部Ａ’に沿い且つ股下部Ｃを横断し、他方の側縁部Ａ’に沿うように本体表面シート１１と本体裏面シート１２との間に配設されており、他方（レッグ用の弾性部材１５ｂ）は、パンツ本体１０の背側部Ｂの一方の側縁部Ｂ’に沿い且つ股下部Ｃを横断し、他方の側縁部Ｂ’に沿うように、本体表面シート１１と本体裏面シート１２の間に配設されている。これらのレッグ用の弾性部材１５ａ，１５ｂは股下部Ｃにおいて交差せずに配設されている。
【００１５】
上記ウエスト用の弾性部材１３及びレッグ用の弾性部材１５としては、従来より使い捨ておむつのウエスト用の弾性部材及びレッグ用の弾性部材として用いられているものを特に制限なく用いることができる。
【００１６】
更に、本実施形態のパンツ型使い捨ておむつ１では、胴周り部（ウエスト開口部よりも股下側）に胴まわり用の弾性部材１８が、パンツ本体１０の腹側部Ａ及び背側部Ｂにおいて、本体表面シート１１と本体裏面シート１２の間に、腹側部Ａ及び背側部Ｂそれぞれにおけるウエスト開口部の開口部縁に平行に配設されており、腹側部Ａの側縁部Ａ’と背側部Ｂの側縁部Ｂ’とが接合された接合部において同一の胴まわり用の弾性部材１８の端部どうしが重複して胴周り部の周縁部の略全周にわたって配置されて胴まわりギャザー部１９が形成されている。
上記胴周り用の弾性部材１８としては、従来より使い捨ておむつの胴周り用の弾性部材及びレッグ用の弾性部材として用いられているものを特に制限なく用いることができる。
【００１７】
これらの構成は従来技術と同じである。
【００１８】
而して、本実施形態のパンツ型使い捨ておむつ１では、図４に示すように、上記レッグ立体ギャザー３１は、その両端部３１ａが、該両端部３１ａそれぞれの股下部Ｃ寄りの端縁３１ｂを上記ウエスト立体ギャザー４１の装着者側に配置された自由端縁４１ａよりも上記ウエスト開口部側に位置させて固着されている。
【００１９】
以下、本実施形態のパンツ型使い捨ておむつ１の特徴部分について詳述すると、本実施形態のパンツ型使い捨ておむつ１においては、ウエスト立体ギャザー４１の幅（装着者側に配置された上記自由端縁４１ａと上記肌当接面に固定されている固定端縁４１ｂとの距離）Ｗは１５ｍｍとなっている。
そして、レッグ立体ギャザー３１の上記両端部３１ａは、レッグ立体ギャザー３１の幅方向においては該幅の略全体にわたって、上記液透過性シートに固着されている。また上記両端部３１ａは、長さ方向において上記ウエスト立体ギャザー４１の上記肌当接面に固定されている固定端縁４１ｂと同じ位置からウエスト開口部寄りが略全長にわたって固着されており、固着された上記両端部３１ａの上記股下部Ｃ寄りの上記端縁３１ｂが、上記ウエスト立体ギャザー４１の上記肌当接面に固定されている固定端縁４１ｂと重なるように位置している。
【００２０】
本実施形態のパンツ型使い捨ておむつ１によると、上記レッグ立体ギャザー３１の固着された両端部３１ａの股下部Ｃ寄りの端縁３１ｂが、ウエスト立体ギャザー４１の装着者側に配置された自由端縁４１ａよりも上記ウエスト開口部側に位置しており、レッグ立体ギャザー３１とウエスト立体ギャザー４１とが実質的に連続して起立形成されるので、レッグ立体ギャザー３１及びウエスト立体ギャザー４１の機能が吸収体の周囲においてもれなく発揮され、優れた防漏性が得られる。
特に、本実施形態のパンツ型使い捨ておむつ１によると、上記レッグ立体ギャザー３１の固着された両端部３１ａの股下部Ｃ寄りの端縁３１ｂが上記ウエスト立体ギャザー４１の上記肌当接面に固定されている固定端縁４１ｂと長手方向において重なって配置されているので、レッグ立体ギャザー３１とウエスト立体ギャザー４１とが、ほぼ完全に起立した状態で実質的に連続して形成され、特に、優れた防漏性が得られる。
【００２１】
本発明は上述した実施形態に限定されるものではなく、各部材の具体的な形状、寸法、材料等は、本発明の趣旨を逸脱しない限り適宜変更可能である。
例えば、上記吸収部２０は、吸収体２２と液透過性シート２１と、又は吸収体２２と液不透過性シート２３とを一体に形成したものとすることもできる。
上記パンツ型使い捨ておむつ１は、胴周り部に弾性部材が配設されていないものとすることもできる。また、液透過性シート２１、吸収体２２、及び液不透過性シート２３が、それぞれの長手方向中央部の括れた砂時計断面状に形成されており、吸収体２２が液透過性シート２１と液不透過性シート２３との間に介在配置されており、液透過性シート２１が上記実施形態における本体表面シートを兼ね、液不透過性シートが上記実施形態における本体裏面シート１２を兼ねているものとすることもできる。
【００２２】
【発明の効果】
以上説明したように、本発明のパンツ型使い捨ておむつによれば、レッグ立体ギャザー及びウエスト立体ギャザーの機能が十分に発揮され、優れた防漏性を得ることができる。
【図面の簡単な説明】
【図１】本発明のパンツ型使い捨ておむつの一実施形態を展開した状態で示す斜視図である。
【図２】図１のＩ−Ｉ断面図である。
【図３】図１のＩＩ−ＩＩ断面図である。
【図４】図１のパンツ型使い捨ておむつの要部を示す平面図である。
【符号の説明】
１    パンツ型使い捨ておむつ
１０    パンツ本体
１１    本体表面シート
１２    本体裏面シート
１３    （ウエスト用の）弾性部材
１４    ウエストギャザー部
１５ａ  （レッグ用の）弾性部材
１５ｂ  （レッグ用の）弾性部材
１６    レッグギャザー部
１８    （胴まわり用の）弾性部材
１９    胴まわりギャザー部
２０    吸収部
２１    液透過性シート
２２    吸収体
２３    液不透過性シート
３０    レッグ立体ギャザー形成部材
３１    レッグ立体ギャザー
３１ａ  （レッグ立体ギャザーの）端部
３１ｂ  （レッグ立体ギャザーの端部の股下部寄りの）端縁
３２    （レッグ立体ギャザー形成用の）弾性部材
４０    ウエスト立体ギャザー形成部材
４０ａ  （ウエスト立体ギャザー形成部材の）縁部
４０ｂ  （ウエスト立体ギャザー形成部材の）縁辺
４０ｃ  （ウエスト立体ギャザー形成部材の）縁部以外の部分
４１    ウエスト立体ギャザー
４１ａ  自由端縁
４１ｂ  固定端縁
４２    （ウエスト立体ギャザー形成用の）弾性部材
Ａ    腹側部
Ａ’  （腹側部）の側縁部
Ｂ    背側部
Ｂ’  （背側部）の側縁部
Ｃ    股下部
【図１】
0003685894.tif 000002
【図２】
0003685894.tif 000003
【図３】
0003685894.tif 000004
【図４】
0003685894.tif 000005